(57)【要約】  遠心分離機用容器が開示される。本考案に係る遠心分離機用容器は、胴体の下側収容部に結合された下部覆いが所定以上下降しても、連結部に形成された支持リブが、容器が挿入支持される遠心分離機の挿入孔の内周面またはバケットの内周面と接触する。そうすると、遠心分離機が回転しても容器は半径方向に流動することができないので、容器の破損が防止できる。【選択図】図３
2015502851.tif 000002
【特許請求の範囲】
【請求項１】
遠心分離機に形成された挿入孔に直接に挿入支持されたり、バケット（Ｂｕｃｋｅｔ）を媒介にして前記挿入孔に挿入支持され、内部には、比重や成分の異なる物質が混合された混合物質が注入され、前記遠心分離機により回転しながら、遠心力によって前記混合物質を分離する遠心分離機用容器であって、
下側収容部、前記下側収容部の上側に位置された上側収容部、及び前記下側収容部の径と前記上側収容部の径より小さな径で形成され、前記下側収容部と前記上側収容部とを連結する連結部を有し、前記混合物質が注入されるパイプ状の胴体；
前記下側収容部の外周面に昇降自在に結合され、前記下側収容部の開放された下端面を開閉し、前記胴体の下端部を基準にして、前記胴体に注入された前記混合物質の高さを調節する下部覆い；
前記連結部の外周面に形成され、前記挿入孔の内周面または前記バケットの内周面と接触する複数の支持リブを含むことを特徴とする遠心分離機用容器。
【請求項２】
前記上側収容部の上端面は開放され、
前記上側収容部の外周面には前記上側収容部の上端面を開閉する上部覆いが結合されたことを特徴とする、請求項１に記載の遠心分離機用容器。
【請求項３】
前記下側収容部の外周面には、前記下側収容部と前記下部覆いとの間をシーリングするシーリング部材が設けられたことを特徴とする、請求項１に記載の遠心分離機用容器。
【請求項４】
前記下側収容部の外周面には、前記シーリング部材が挿入安置されるリング状の安置溝が形成されたことを特徴とする、請求項３に記載の遠心分離機用容器。
【請求項５】
前記上側収容部の外周面には、前記上側収容部と前記上部覆いとの間をシーリングするシーリング部材が設けられたことを特徴とする、請求項２に記載の遠心分離機用容器。
【請求項６】
前記上側収容部の外周面には、前記シーリング部材が前記上側収容部の下側に離脱することを防止する係止鍔が形成されたことを特徴とする、請求項５に記載の遠心分離機用容器。
【請求項７】
前記上部覆いの内周面には、前記係止鍔に係止される係止部が形成されたことを特徴とする、請求項６に記載の遠心分離機用容器。
【請求項８】
前記下側収容部の外周面と前記下部覆いの内周面には、互いに係合する螺旋がそれぞれ形成されたことを特徴とする、請求項１に記載の遠心分離機用容器。
【請求項９】
前記下部覆いの外周面には、複数の突き出しレールが形成されたことを特徴とする、請求項８に記載の遠心分離機用容器。
【請求項１０】
前記胴体は、透明な材質により形成され、
前記胴体の外周面には目盛りが表示されたことを特徴とする、請求項１〜９の何れか一項に記載の遠心分離機用容器。
【発明の詳細な説明】
【技術分野】
【０００１】
本考案は、遠心力を用いて、成分や比重の異なる物質を分離する遠心分離機に使われる容器に関する。
【背景技術】
【０００２】
血管内を流れる液状の組織である血液は、血球と血漿とに大別される。血球は、赤血球、白血球、及び血小板からなり、主に水分からなる血漿には、生命の維持に必須な血液凝固因子及び電解質などが含まれている。
【０００３】
近来、医学的な目的として、血液の成分を分離し、血液の各成分を抽出するための様々な方法が使われている。さらに、血液の成分を分離するための一つの装置として、遠心力を用いた遠心分離機が使われている。
【０００４】
詳しく説明すると、採血した血液を容器に入れ込み、容器を遠心分離機に入れて、所定の回転速度で回転した後に沈殿させると、血液の成分は比重差に応じて層間分離される。すなわち、重い血球は下部に層を成して形成され、軽い血漿は上部に層を成して形成され、血球と血漿との間には、血液の約１％程を成すバフィーコート（Ｂｕｆｆｙ  Ｃｏａｔ）層が形成される。
【０００５】
バフィーコート層には、細胞の増殖、上皮細胞の成長促進、血管再生、コラーゲンの生産、ヒアルロン酸の生産、及び傷の治癒などを促進する幹細胞を含むＰＲＰ（Ｐｌａｔｅｌｅｔ  Ｒｉｃｈ  Ｐｌａｓｍａ：多血小板血漿）の大分が集まっている。
【０００６】
これにより、損失なしにバフィーコート層の抽出ができる遠心分離機用容器が必要とされる。
【０００７】
血液のバフィーコート層を抽出するのに使われる従来の遠心分離機用容器について、図１を参照して説明する。
【０００８】
図１に示すように、遠心分離機用容器１０は、上面が開放されたパイプ状の胴体１１と、胴体１１の上面に密閉して結合された栓１５と、を含む。
【０００９】
胴体１１は、下側収容部１１ａ、下側収容部１１ａと略同じ径で形成された上側収容部１１ｂ、及び下側収容部１１ａと上側収容部１１ｂとを連結する連結部１１ｃを有する。この際、連結部１１ｃは、下側収容部１１ａ及び上側収容部１１ｂの径より小さく形成される。
【００１０】
このようにして、採血した血液を容器１０に入れ込み、容器１０を遠心分離機（図示せず）に入れ、所定の回転速度で回転した後に沈殿させると、血球は下側収容部１１ａに収容され、血漿は上側収容部１１ｂに収容され、バフィーコート層は連結部１１ｃに収容される。
【００１１】
その後、注射器の針（図示せず）をバフィーコート層に位置させた状態で、針をぐるぐると回すトルネード（Ｔｏｒｎａｄｏ）方式でバフィーコート層を抽出すれば、バフィーコート層が採取される。すなわち、血液を容器１０に入れて遠心分離した際、バフィーコート層が連結部１１ｃに位置されればこそ、バフィーコート層を容易に抽出して採取することができる。
【００１２】
ところが、血液を遠心分離した際、血液の量などに応じて、バフィーコート層が下側収容部１１ａに位置されることもできれば、上側収容部１１ｂに位置されることもできる。バフィーコート層が下側収容部１１ａに位置された場合は、注射器を用いて下側収容部１１ａに血液をさらに入れ込み、上側収容部１１ｂに位置された場合は、注射器を用いて下側収容部１１ａに収容された血球を取り除いた後、再び遠心分離をした。
【００１３】
上記のような従来の遠心分離機用容器１０は、バフィーコート層が下側収容部１１ａまたは上側収容部１１ｂに位置された際、バフィーコート層の位置を調節できる何らの手段もないため、注射器を用いて血液をさらに入れ込んだり、血球を取り除かなければならないので、不便であるという短所がある。
【００１４】
このような問題点を解消した遠心分離機用容器が、韓国公開特許公報１０−２０１１−００８０２４５号に、「一体型分離装置」という名称に開示されている。
【００１５】
前記一体型分離装置１は、下側の第１のチャンバ１０、上側の第２のチャンバ２０、第１のチャンバ１０と第２のチャンバ２０とを連結する連結ネック３０、及び第１のチャンバ１０の下端部側に結合された下部覆い部４０を含む。
【００１６】
さらに、下部覆い部４０は、第１のチャンバ１０に結合され、中央に調節孔が形成された下部キャップ４１、下部キャップ４１の内部に介在され、前記調節孔を遮蔽する調節板４２、上下移動自在に下部キャップ４１の内周面に結合され、調節板４２の下側に位置された調節口４３を有する。そのようにして、下部キャップ４１に結合される調節口４３の位置を調節することで、第１のチャンバ１０の内容積を調節してバフィーコート層の位置を調節する。
【００１７】
ところで、上記のような従来の一体型分離装置は、遠心分離機（図示せず）に入れて回転させる際、損傷してしまう恐れがある。
【００１８】
詳しく説明すると、図２に示すように、一体型分離装置１は、前記遠心分離機に形成された挿入孔に直接に挿入されて回転されたり、上面が開放された円筒状のバケット２を媒介にして、前記遠心分離機の挿入孔に直接に挿入されて回転される。ところで、下部覆い４０の調節口４３（公開特許公報を参照）が所定以下に下降した場合、連結ネック３０が前記遠心分離機の挿入孔の外側またはバケット２の外側に位置される。
【００１９】
そのようになると、連結ネック３０の外周面が前記遠心分離機の挿入孔の内周面またはバケット２の内周面に支持されなくなるため、前記遠心分離機が回転する際、前記遠心分離機の挿入孔の外側またはバケット２の外側に露出された一体型分離装置１は、半径方向に流動して損傷してしまう恐れがある。
【００２０】
連結ネック３０の外周面に、連結ネック３０の内側に陷沒された略弧状の補強リブ７０が形成されているが、補強リブ７０も前記遠心分離機の挿入孔の内周面またはバケット２の内周面と接触しないため、前記遠心分離機が回転する際、一体型分離装置１の流動を防止することができない。
【発明の概要】
【発明が解決しようとする課題】
【００２１】
本考案は、上記のような従来技術の問題点を解決するために案出されたものであって、本考案の目的は、血液が注入される容器の外周面が、バケットの内周面または遠心分離機の挿入孔の内周面に常に接触支持されるように構成することで、遠心分離機が回転する際に、容器が破損してしまうことを防止できる遠心分離機用容器を提供することにある。
【課題を解決するための手段】
【００２２】
上記の目的を達成するために、本考案に係る遠心分離機用容器は、遠心分離機に形成された挿入孔に直接に挿入支持されたり、バケット（Ｂｕｃｋｅｔ）を媒介にして前記挿入孔に挿入支持され、内部には、比重や成分の異なる物質が混合された混合物質が注入され、前記遠心分離機により回転しながら、遠心力によって前記混合物質を分離する遠心分離機用容器であって、下側収容部、前記下側収容部の上側に位置された上側収容部、及び前記下側収容部の径と前記上側収容部の径より小さな径で形成され、前記下側収容部と前記上側収容部とを連結する連結部を有し、前記混合物質が注入されるパイプ状の胴体；前記下側収容部の外周面に昇降自在に結合され、前記下側収容部の開放された下端面を開閉し、前記胴体の下端部を基準にして、前記胴体に注入された前記混合物質の高さを調節する下部覆い；前記連結部の外周面に形成され、前記挿入孔の内周面または前記バケットの内周面と接触する複数の支持リブを含む。
【発明の効果】
【００２３】
本考案に係る遠心分離機用容器は、胴体の下側収容部に結合された下部覆いが所定以上下降しても、連結部に形成された支持リブが、容器が挿入支持される遠心分離機の挿入孔の内周面またはバケットの内周面と接触する。そうすると、遠心分離機が回転しても容器は半径方向に流動できないので、容器の破損が防止される。
【図面の簡単な説明】
【００２４】
【図１】従来の遠心分離機用容器の斜視図である。
【図２】他の従来の遠心分離機用容器の斜視図である。
【図３】本考案の一実施形態に係る遠心分離機用容器の斜視図である。
【図４】図３の分解斜視図である。
【図５】図３の断面図である。
【発明を実施するための形態】
【００２５】
後述する本考案に対する詳細な説明は、本考案が実施され得る特定の実施形態を例示して図示した添付の図面を参照する。これらの実施形態は、当業者が本考案を実施できるように十分詳しく説明される。本考案の様々な実施形態は互いに異なるものの、相互排他的である必要はないことが理解されるべきである。例えば、ここで記載されている特定の形状、特定の構造及び特性は、一実施形態と関連して本考案の精神及び範囲を脱しないながらも、他の実施形態に具現されることができる。また、それぞれの開示された実施形態における個別の構成要素の位置や配置は、本考案の精神及び範囲を脱しないながらも変更され得ることが理解されるべきである。従って、後述する詳細な説明は限定的な意味ではなく、本考案の範囲は、適切に説明されたら、その請求項が主張するものと均等である全範囲と共に、添付された請求項のみによって限定される。図面に示された実施形態の長さ、面積、厚さ、及び形態は、便宜上、誇張して表現されることもある。
【００２６】
以下、添付の図面を参照し、本考案の一実施形態に係る遠心分離機用容器を詳しく説明する。
【００２７】
図３は、本考案の一実施形態に係る遠心分離機用容器の斜視図であり、図４は、図３の分解斜視図であり、図５は、図３の断面図である。
【００２８】
図面に示すように、本実施形態に係る遠心分離機用容器１００は、胴体１１０、下部覆い１２０、及び上部覆い１３０を含む。容器１００は、遠心分離機（図示せず）に形成された挿入孔に直接に挿入支持されたり、バケット（Ｂｕｃｋｅｔ）５０（図５を参照）を媒介にして、前記遠心分離機の挿入孔に挿入支持される。容器１００の内部には、血液などのように、比重や成分の異なる物質が混合された混合物質が注入され、容器１００は、前記遠心分離機によって回転しながら、遠心力によって混合物質を分離する。
【００２９】
胴体１１０は、上下面が開放されたパイプ状に形成され、下側収容部１１１、下側収容部１１１の上側に位置された上側収容部１１４、及び下側収容部１１１と上側収容部１１４との間に形成され、下側収容部１１１と上側収容部１１４とを連結する連結部１１７を有する。この際、連結部１１７の径は、下側収容部１１１の径及び上側収容部１１１の径より小さく形成される。
【００３０】
下部覆い１２０は、下側収容部１１１の外周面に結合され、胴体１１０の開放された下面である下側収容部１１１の開放された下端面を開閉する。この際、下部覆い１２０は、下側収容部１１１に昇降自在に結合される。よって、下側収容部１１１に結合される下部覆い１２０の位置を調節することによって、胴体１１０に注入された混合物質の高さは胴体１１０の下端部を基準にして調節される。
【００３１】
下側収容部１１１の外周面に結合された下部覆い１２０を昇降できるように、下側収容部１１１の外周面と下部覆い１２０の内周面には、互いに係合する螺旋１１１ａ、１２１がそれぞれ形成される。よって、下側収容部１１１を基準にして下部覆い１２０を正逆回転させることによって、下部覆い１２０が下側収容部１１１に沿って昇降する。
【００３２】
下部覆い１２０の外周面には複数の突き出しレール１２３が形成される。突き出しレール１２３は、ユーザーが手で下部覆い１２０を握って回転させる際、使用者の手が滑ることを防止する。
【００３３】
下側収容部１１１の外周面には、下側収容部１１１と下部覆い１２０との間をシーリングするＯリングなどのようなシーリング部材１４１が介在される。さらに、下側収容部１１１の外周面には、シーリング部材１４１が挿入安置されるリング状の安置溝１１１ｂ（図５を参照）が形成される。シーリング部材１４１が安置溝１１１ｂに挿入支持されるので、下部覆い１２０の昇降によってシーリング部材１４１が昇降することが防止される。
【００３４】
上部覆い１３０は、上側収容部１１４の外周面に結合され、胴体１１０の開放された対面である上側収容部１１４の開放された上端面を開閉する。
【００３５】
上側収容部１１４の外周面にも、上側収容部１１４と上部覆い１３０との間をシーリングするＯリングなどのようなシーリング部材１４５が介在される。さらに、上側収容部１１４の外周面には、上部覆い１３０によって上側から下側に圧着されるシーリング部材１４５が上側収容部１１４の下側に離脱することを防止する係止鍔１１４ａが形成される。
【００３６】
係止鍔１１４ａの下面には、上部覆い１３０の内周面に形成された係止部１３１（図５を参照）が係止される。係止鍔１１４ａと係止部１３１により、上部覆い１３０が上側収容部１１４から離脱することが防止される。
【００３７】
胴体１１０は、外部からの混合物質の観察ができるように、透明な材質により形成され、胴体１１０の外周面には、混合物質の量を表示する目盛り１１０ａが形成されることができる。
【００３８】
本実施形態に係る容器１００の使用方法について、血液を例にして説明する。
【００３９】
下部覆い１２０及び上部覆い１３０により胴体１１０を密閉した状態で、採血した血液を、注射器などを用いて胴体１１０に入れ込み、容器１００を遠心分離機に入れ、所定の回転速度で回転した後に沈殿させる。
【００４０】
そうすると、重い血球は下側収容部１１１に層を成して形成され、軽い血漿は上側収容部１１４に層を成して形成され、血球と血漿との間に形成されるバフィーコート（Ｂｕｆｆｙ  Ｃｏａｔ）層は連結部１１７に位置されるので、トルネード（Ｔｏｒｎａｄｏ）方式で連結部１１７に位置されたバフィーコート層を抽出すれば良い。
【００４１】
ところが、最初に注入された血液の量などに応じて、バフィーコート層が連結部１１７に位置されないこともある。万一、バフィーコート層が下側収容部１１１に位置されれば、下部覆い１２０を正方向に回転して上昇させた後、バフィーコート層が連結部１１７に位置されるようにした状態で、再び遠心分離をする。さらに、バフィーコート層が上側収容部１１４に位置されれば、下部覆い１２０を逆方向に回転して下降させた後、バフィーコート層が連結部１１７に位置されるようにした状態で、再び遠心分離をする。
【００４２】
ところが、下部覆い１２０を所定以上に下降させた状態で、容器１００を前記遠心分離機の挿入孔に挿入したり、バケット５０に挿入すれば、連結部１１７が前記遠心分離機の挿入孔の外側またはバケット５０の外側に位置される。そうすると、前記遠心分離機の挿入孔の内周面と連結部１１７の外周面との間の間隔、またはバケット５０の内周面と連結部１１７の外周面と間の間隔が広いため、前記遠心分離機の回転により、容器１００が半径方向に流動して損傷する可能性がある。
【００４３】
これを防止するために、本実施形態に係る遠心分離機用容器１００には、複数の支持リブ１５０が形成される。
【００４４】
詳しく説明すると、連結部１１７の外周面には、胴体１１０の中心を基準にして放射状に、胴体１１０の長さ方向に沿って複数の支持リブ１５０が形成される。支持リブ１５０は、前記遠心分離器機の挿入孔の内周面またはバケット５０の内周面と接触する。
【００４５】
そうすると、下部覆い１２０が所定以上下降しても、支持リブ１５０が前記遠心分離機の挿入孔の内周面またはバケット５０の内周面と接触するため、容器１００が半径方向に流動することが防止される。よって、容器１００の破損が防止できる。
【００４６】
図３ないし図５の未説明符号１３３は、注射器の針を挿入するための軟質の膜である。
【００４７】
上述した本考案の実施形態に関する図面は、詳しい輪郭ラインを略し、本考案の技術思想に属する部分が容易に分かるように概略的に示したものである。また、上記の実施形態は、本考案の技術思想を限定する基準になれず、本考案の請求範囲に含まれた技術事項を理解するための参照事項に過ぎない。
【符号の説明】
【００４８】
１１０  胴体
１１１  下側収容部
１１４  上側収容部
１１７  連結部
１２０  下部覆い
１３０  上部覆い
１５０  支持リブ
【図１】
2015502851.tif 000003
【図２】
2015502851.tif 000004
【図３】
2015502851.tif 000005
【図４】
2015502851.tif 000006
【図５】
2015502851.tif 000007
【国際調査報告】
2015502851.tif 000008
2015502851.tif 000009
2015502851.tif 000010
2015502851.tif 000011